(57)【要約】  【課題】  簡単な作業によりベッドスペースの構築ができ、且つ、車内空間を有効に利用できる乗用車のベッド構造を提供する。  【解決手段】  ベッドスペース７の一部を構築するベッド板９１の基端を常設ベッドの一部に回動自在に設け、ベッド板９１を水平にした際にベッド板９１の自由端側を水平に支持する支持部９３ａを設け、ベッド板９１をベッドとして使用する際にはベッド板９１の自由端側を回動させて支持部９３ａに支持させ、ベッドとして使用しない場合にはベッド板９１の自由端を常設ベッド８側へ回動させ常設ベッド８に係止させる。【選択図】  図３
2007020848.tif 000002
【特許請求の範囲】
【請求項１】
ベッドスペースの一部を構築するベッド板の基端を常設ベッドの一部に回動自在に設け、ベッド板を水平にした際にベッド板の自由端側を水平に支持する支持部を設け、
ベッド板をベッドとして使用する際にはベッド板の自由端側を回動させて支持部に支持させ、ベッドとして使用しない場合にはベッド板の自由端を常設ベッド側へ回動させ常設ベッドに係止可能なことを特徴とする乗用車のベッド構造。
【発明の詳細な説明】
【技術分野】
【０００１】
この発明は、乗用車のベッド構造にかかり、詳細には、ワンボックスカー等のキャンピングカーに設置するベッドの構造に関する。
【背景技術】
【０００２】
乗用車であるワンボックスカーを基本車体として室内を改装してキャンピングカーとして用いる場合に、ベッドスペースを確保するのが不可欠である。
そして従来は、キャンピングカー内に常設の２段ベッドのベッドスペースを確保したものがあった。
しかしながら、常設されている２段ベッドでは、上下に２人が就寝可能となるが、２人分のベッドスペースでは足りずそれ以上のベッドスペースを確保する必要があったが、２段ベッドをもう１台車内空間に常設したのでは、ベッドスペース以外の空間が狭くなり、実質的にキャンピングカーとしての住生活空間が狭くなってしまう。
そこで、常設の２段ベッドを１台構築しておき、それ以外はキャンピングカー内にベッドスペースを常設せず、通常はベッドスペースを構築する専用のベッド部材を収納しておき、就寝時等ベッドスペースを確保する必要が生じた時にこれらベッド部材を取出し組み立てていた。
このようにしてキャンピングカー利用者のベッドスペースとして、３人以上のスペースを確保していた。
そして、常設の２段ベッドのベッドスペースは、就寝時等以外の通常生活時間帯にはカーテン等によってベッドスペースを隠しておく必要がある。
【発明の開示】
【発明が解決しようとする課題】
【０００３】
しかしながら、キャンピングカー内にベッドスペースを常設しているキャンピングカーでは、狭い車内に就寝時等ではない通常生活時間帯にもベッドスペースが設けられていることとなり、座席スペースその他の生活スペースが狭くなってしまい、車内スペースの有効利用ができないという問題点を有した。
又、常設の２段ベッドとは別に通常はベッドスペースを構築する専用のベッド部材を収納しておき、就寝時等ベッドスペースを確保する必要が生じた時にこれらベッド部材を取出して組み立てる場合には、就寝時等ではない通常生活時間帯にもベッドスペースを常設しておく場合に比しベッドスペース構築部材を格納しておくだけのスペースですむので、車内空間を有効に利用できるものの、やはり格納するためのスペースが必要である一方で、就寝時にはベッドスペースが無い状態から構築する必要があり、ベッドスペースを構築するのに手間を有してしまうという問題点を有した。
【０００４】
そこでこの発明は、簡単な作業によりベッドスペースの構築ができ、且つ、車内空間を有効に利用できる乗用車のベッド構造を提供する。
【課題を解決するための手段】
【０００５】
この発明は、簡単な作業によりベッドスペースを構築できると共に車内空間を有効に活用できる乗用車のベッド構造として、
【０００６】
ベッドスペースの一部を構築するベッド板の基端を常設ベッドの一部に回動自在に設け、ベッド板を水平にした際にベッド板の自由端側を水平に支持する支持部を設け、
ベッド板をベッドとして使用する際にはベッド板の自由端側を回動させて支持部に支持させ、ベッドとして使用しない場合にはベッド板の自由端を常設ベッド側へ回動させ常設ベッドに係止可能なことを特徴とする乗用車のベッド構造、
【０００７】
を提供する。この乗用車のベッド構造では、ベッド板を回動させ基端を常設ベッドに支持させると共に、自由端を支持部に支持させることで、ベッド板表面がベッドスペースの一部として機能する。又、ベッド板の自由端を回動させて常設ベッドに係止させることで、前記支持部へ支持させてベッドスペースの一部を形成していた車内空間を住生活に有効な空間とする。そして、ベッド板を常設ベッドに係止させることでベッド板が常設ベッドスペースの目隠し板として機能する。
【発明の効果】
【０００８】
従って、この発明によれば、ベッドスペースの一部を構築するベッド板が、ベッドスペースとして利用する場合には、就寝のための床面の一部として機能し、通常時等ベッドスペースとして利用しない場合には、常設ベッドに係止させることで、常設ベッドの一部を覆い隠し目隠し板として機能できる。
又、通常時等ベッドスペースとして利用しない場合には、ベッド板が常設ベッドに係止されているので、就寝時にベッド板によって形成されていた床面のスペースが、通常生活空間として利用可能となり、車内空間を有効に利用できるという効果を有する。
【発明を実施するための最良の形態】
【０００９】
キャンピングカー室内後部側面に常設の２段ベッドを設置する。常設の２段ベッドの１段目室内中央側の就寝床端部に、ベッド板の基端を蝶番等によって回動自在に設置する。更にベッド板の自由端側には、常設の２段ベッドの一部と係止可能な係止部を設け、該係止部に対向する常設の２段ベッドにも、該係止部と係止可能なベッド板係止部を設ける。この係止部及びベッド板係止部の係止は、キャンピングカーが走行中でも容易に係止が解除しないようフック等の手段による。
【００１０】
一方、基端部を回動中心としてベッド板を回動した際に、ベッド板が水平となった状態でベッド板の自由端側を支持する支持部を常設２段ベッドと対向する室内側面に設ける。
支持部には、上記ベッド板を水平に設置した際にベッド板の側部となるように就寝床面を設ける。
【実施例１】
【００１１】
以下にこの発明の実施例を図面に基づき説明する。図１はこの発明の実施例を表す側面透視説明図であり、図２は同平面透視説明図であり、図３はこの発明を実施した車内を表す斜視説明図であり、図４は同移動状態を表す斜視説明図であり、図５は同就寝時の状態を表す側面透視説明図であり、図６は同平面透視説明図であり、図７は走行状態時の側面透視説明図である。
【００１２】
１は、この発明を実施したキャンピングカーである。キャンピングカー１は、座席シートが３列に設けられており、少なくとも最後部である後部シート２は前後に移動可能であると共に回転可能に設けてある。このように後部シート２を設けることで狭いキャンピングカー１の室内を有効に利用可能である。勿論、中間部の中間部シート３を回転可能や前後可能に設けても良く、この実施例では回転可能としテーブル４を挟んで後部シート２と中間部シート３とを対面させて用いることができる。尚、走行時にはテーブル４は取外し、図７に表すように、中間部シート３及び後部シート２を前方へ向けた走行状態とさせることもできる。
【００１３】
５はキッチンであり、６は収納庫である。キッチン５及び収納庫６は、キャンピングカー１室内の右サイド略中央に設けてある。
【００１４】
７はベッドスペースである。ベッドスペース７は、２段ベッド８がキャンピングカー１室内の右サイド後部に常設されている。２段ベッド８は、側板８３に上段就寝床面８１と下段就寝床面８２とを固定して構成されている。そして下段就寝床面８２の下部は、キャンピングカー１の後部ハッチ側から或はキャンピングカー１室内中央側から収納可能な収納スペースとして利用可能に構成する。
そしてキャンピングカー１では、乗車定員が６人以上なので、ベッドスペース７に常設した２段ベッド８に２名が就寝できるだけではベッド数が足りないので、常設ではない収納ベッド９を設けてある。
【００１５】
即ち、収納ベッド９は、図３及び図４に表すように、収納ベッド９のベッド床面の一部を構成するベッド板９１と、ベッド板９１以外のベッド床面を構成する折り畳みベッド板９２とから就寝床面を構成する。
ベッド板９１は、基端部である一端が２段ベッド８の下段就寝床面８２室内側側部に、蝶番等の手段によって回動自在に取付けられ、収納ベッド９の就寝床面を構成している時には自由端側を回動させて床面を構成させ、収納時には自由端側を上方に回動させて２段ベッド８の側板８３或は上段就寝床面８１室内側部と、フックなどの係止手段によって係止可能に設ける。
更に、２段ベッド８が設置された室内側部と対向する室内側部、即ちキャンピングカー１室内の左サイド後部には、ベッド板９１を支持するための支持板９３を設ける。支持板９３は、ベッド板９１の自由端を回動させてベッド板９１を水平に設置した時に自由端側が支持板９３上に当接して固定できるように構成してある。この実施例では、支持板９３はキャンピングカー１室内の左サイド後部に常設固定させているが、取外し可能に設けても良い。
そして支持板９３のベッド板９１と対向する上縁は、ベッド板９１を支持するための支持部９３ａを構成する。支持部９３ａ及びベッド板９１には、それぞれ対応する位置に係止可能な係止部を設けて相互に係止可能としても良い。
尚、この実施例では、支持部９３ａは支持板９３をキャンピングカー１室内に別途設置するように設けたが、例えばキャンピングカー１室内の左サイド後方のベッド板９１位置に、室内上方から吊すような方法によって支持板９３を支持するように構成しても良く、更には、キャンピングカー１室内の左サイド後方の同位置に、キャンピングカー１の躯体と嵌合可能なピンを室内側から差し込み就寝時のみ支持部９３ａを構成してベッド板９１を支持可能としても良く、支持部９３ａはベッド板９１を水平に保って収納ベッド９の就寝床面を維持できるように支持可能であればどの様に設けても良い。
【００１６】
このように収納ベッド９のベッド板９１を回動自在に設けることで、収納時には２段ベッド８の目隠しとして機能させることができる。更には、ベッド板９１を跳ね上げ収納状態とした時には、就寝床面を構成していた空間が空きスペースとなる。従って、キャンピングカー１走行時等の通常使用時には、該空きスペースに後部シート２をスライドさせて位置させ通常使用状態として使用し、就寝時には図５及び図６に表すように、後部シート２を前方にスライドさせ、ベッド板９１が自由端を回動して就寝床面を作れるようにできるので、ベッド板９１の状態に合わせて後部シート２を進退移動させることで、後部シート２及び該空きスペースの利用形態を変更でき、キャンピングカー１室内を有効に利用できる。尚、ベッド板９１が就寝床面の一部となるよう水平に設けられている時にも後部シート２には乗員が着座できるが、車種によっては室内スペースが狭く後部シート２に乗員が着座できなくとも支障はない。
【００１７】
折り畳みベッド板９２は、この実施例では収納ベッド９の収納ベッド就寝床面のうち、ベッド板９１が構成する床面以外の部分を構成する。折り畳みベッド板９２は、キャンピングカー１幅方向に３分割したうちの２段ベッド８側の２／３からなり、２枚の板体を蝶番等によって回動自在に接続固定するとともに、一方の板体の基端部をベッド板９１と隣合うように２段ベッド８の下段就寝床面８２と蝶番等によって回動自在に取付ける。従って折り畳みベッド板９２は、折り畳み時には折り畳みベッド板９２の下部が露呈し、伸した状態では収納ベッド９の就寝床面を構成する。又、折り畳みベッド板９２以外の１／３を構成する就寝床板９４は、キャンピングカー１幅方向に対向設置した２枚の枠板１０上に固定されている。そして、就寝時には就寝床面を構成している折り畳みベッド板９２及び就寝床板９４の下部は、枠板１０によって仕切られた収納スペース１１として機能する。
【００１８】
尚、収納スペース１１上部の就寝床板９４はこの実施例では枠板１０に固定して設けたが、中央側端部、即ち折り畳みベッド板９２側端部を自由端として自由端と対向する基端部を支持板９３と蝶番等によって回動自在に係止し、自由端側をキャンピングカー１室内の左サイドへ回動させた状態でキャンピングカー１室内に係止可能に設けても良い。この場合には収納スペース１１の開口を更に大きくできる。更には、これに加えて対向設置した枠板１０も、それぞれ２段ベッド８と支持板９３との間にフック等によって取外し可能に設けても良く（加えてキャンピングカー１の床面とも取外しできるよう係止可能としても良い。）、この場合には、後部シート２の更に後部に広い自由空間を構成できる。
【００１９】
更に又この実施例では、折り畳みベッド板９２は２分割とし、折り畳みベッド板９２と就寝床板９４とによってベッド板９１以外の収納ベッド９の就寝床面を構成したが、就寝床板９４を含めて折り畳みベッド板９２として構成し、折り畳みベッド板９２を３分割それぞれを蝶番等によって回動自在に接続するようにしても良い。この場合には、先のように就寝床板９４を支持板９３上方へ跳ね上げてキャンピングカー１室内と固定しなくても後部シート２の後方に広い自由空間を構成できると共に、支持板９３上方に構築されるキャンピングカー１の左サイド後方窓を就寝床板９４が塞いでしまうことがない。
【００２０】
更に又この発明では、ベッド板９１の側部にベッド板９１とは異なる構成の折り畳みベッド板９２を設けて収納ベッド９の就寝床面を構成したが、折り畳みベッド板９２部分もベッド板９１と同様に跳ね上げ式に設けて２段ベッド８と係止可能としても良い。この場合にも、上記同様後部シート２の後部に広い自由空間を構成できる。
【産業上の利用可能性】
【００２１】
この発明は、キャンピングカーの室内にベッドスペースを構築する際の技術として利用可能であり、この技術は、例えば長距離輸送を行うトラックやバスなどベッドスペースを必要とする自動車へ応用可能である。
更には、電車の寝台車等にも応用可能である。
【図面の簡単な説明】
【００２２】
【図１】この発明の実施例を表す側面透視説明図
【図２】この発明の実施例を表す平面透視説明図
【図３】この発明を実施した車内を表す斜視説明図
【図４】この発明を実施して移動した状態を表す斜視説明図
【図５】この発明の実施例の就寝時の状態を表す側面透視説明図
【図６】この発明の実施例の就寝時の状態を表す平面透視説明図
【図７】この発明の実施例の走行状態時の側面透視説明図
【符号の説明】
【００２３】
１    キャンピングカー
２    後部シート
３    中間部シート
４    テーブル
５    キッチン
６    収納庫
７    ベッドスペース
８    ２段ベッド
９    収納ベッド
９１  ベッド板
９２  折り畳みベッド板
９３  支持板
９３ａ  支持部
９４  就寝床板
１０  枠板
１１  収納スペース
【図１】
2007020848.tif 000003
【図２】
2007020848.tif 000004
【図３】
2007020848.tif 000005
【図４】
2007020848.tif 000006
【図５】
2007020848.tif 000007
【図６】
2007020848.tif 000008
【図７】
2007020848.tif 000009